(57)【要約】【課題】ＣＡＴＶ放送方式の異なる方式について、一回の選局で、それぞれの方式の信号無しを復調部の同調を確認すること無く判定することができ、また、Ａｉｒ放送波とＣａｂｌｅ放送波を混合したＲＦスイッチを使用することにより、Ａｉｒ放送波とＣａｂｌｅ放送波の信号無しを同時に判定すること。【解決手段】信号無しの判定５は、復調部３の同調を確認すること無く、ＡＧＣ制御部４あるいはＩＦ信号のレベルにより判定する手段を有し、判定時間を短縮出来る。また、チューナの周波数設定を、方式（ＳＴＤ，ＩＲＣ，ＨＲＣ）の異なるチャンネル間の周波数に設定することにより、一度に各方式の信号無しを判定する手段を有する。また、ＡｉｒとＣａｂｌｅを混合したＲＦスイッチをチューナ２とアンテナ１間に設けることにより、ＡｉｒとＣａｂｌｅの信号無しを同時に判定する手段を有する。【選択図】図１
2007259070.tif 000002
【特許請求の範囲】
【請求項１】
入力されたデジタル放送信号のＲＦ信号より所望の周波数の信号を選択し増幅してＩＦ信号に変換して出力するチューナと、
前記ＩＦ信号のレベルが一定となるように前記チューナ内のアンプのゲインを制御するＡＧＣ制御部と、
前記ＡＧＣ制御部のゲインの制御量又は前記ＩＦ信号のレベルにより、選択したチャンネルのＲＦ信号の有無を判定する信号有無判定部と、
前記ＩＦ信号をもとに前記デジタル放送信号を復調する復調部と、
前記チューナと前記復調部を制御するＣＰＵと、
前記信号有無判定部によってＲＦ信号無しと判定した場合には、前記チューナに設定した周波数を含んだ複数放送システムのそれぞれのチャンネルのＲＦ信号についてそれぞれ信号無しと判断するプログラム、を格納した記録媒体と、を備える
ことを特徴とするデジタル放送受信装置。
【請求項２】
請求項１において、
前記プログラムは、さらに、前記複数放送システムのいずれか１つの放送システムのチャンネルのＲＦ信号が前記信号有無判定部により信号有りと判定された場合に、他の放送システムのチャンネルサーチをスキップするプログラムである
ことを特徴とするデジタル放送受信装置。
【請求項３】
請求項１において、
前記プログラムは、さらに、一つのチャンネルをサーチする際に、前記チューナに設定する周波数として、ＳＴＤ放送、ＨＲＣ放送、ＩＲＣ放送の放送システムの各チャンネルの帯域の重複した帯域内の周波数を設定し、前記信号有無判定部を使用して、ＳＴＤ放送、ＨＲＣ放送、ＩＲＣ放送の各チャンネルの信号無しの判定を同時に実施するプログラムである
ことを特徴とするデジタル放送受信装置。
【請求項４】
請求項１において、
ＴＶ放送信号とＣＡＴＶ放送信号の２つのデジタル放送信号のＲＦ信号を入力し、前記２つのＲＦ信号の一つを選択して前記チューナへ出力するＲＦスイッチと、を備え、
前記プログラムは、チャンネルサーチの実行時、一つのチャンネルをサーチする際、前記信号有無判定部を使用して、前記ＴＶ放送信号と前記ＣＡＴＶ放送信号の信号無しの判定を、前記ＲＦスイッチを切り換えることによって、それぞれ実施するプログラムである
ことを特徴とするデジタル放送受信装置。
【請求項５】
請求項１において、
ＴＶ放送信号とＣＡＴＶ放送信号の２つのデジタル放送信号のＲＦ信号を入力し、前記２つのＲＦ信号入力を混合し１つのＲＦ信号として前記チューナへ出力するＲＦスイッチと、を備え、
前記プログラムは、チャンネルサーチの実行時、一つのチャンネルをサーチする際、前記信号有無判定部を使用して、前記ＴＶ放送信号と前記ＣＡＴＶ放送信号の信号無しの判定を、前記ＲＦスイッチを前記２つのＲＦ信号入力を混合するモードに切り換えることによって、同時に実施するプログラムである
ことを特徴とするデジタル放送受信装置。
【請求項６】
請求項５において、
前記プログラムは、チャンネルサーチの実行時、一つのチャンネルをサーチする際、前記信号有無判定部を使用して、前記ＴＶ放送信号で信号無しと判定した場合に、前記ＣＡＴＶ放送信号のＳＴＤ放送、ＨＲＣ放送、ＩＲＣ放送についても信号無しと判定するプログラムである
ことを特徴とするデジタル放送受信装置。
【発明の詳細な説明】
【技術分野】
【０００１】
本発明は、デジタル放送を受信するデジタル放送受信装置に係り、特に、チャンネルのサーチの処理高速化技術に関するものである。
【背景技術】
【０００２】
一般的にデジタル放送受信機は、受信機の初期設定としてチャンネルサーチを実施する。チャンネルサーチでは、１ｃｈ毎にデジタル信号が存在するかを確認し、全チャンネルにおいてどのチャンネルに受信可能なデジタル信号が存在するかを調査し、記録しておく。チャンネルサーチを実施することにより、信号の無いチャンネルは登録しないので、チャンネルサーチ後は、ユーザは信号の有るチャンネルのみ選局出来るようになるので、選局の際に効率が良くなる。
【０００３】
デジタル信号の受信形態として、設置したアンテナにより放送されている電波を受信するＴＶ放送の形態（以下、Ａｉｒとも称する）と、ケーブル業者によりケーブルにＲＦ信号が配信された信号を受信するＣＡＴＶ放送の形態（以下、Ｃａｂｌｅとも称する）がある。また、アメリカ合衆国のＣＡＴＶ放送には、ＳＴＤ放送、ＨＲＣ放送、ＩＲＣ放送、の３つの放送システムがある。放送はいずれかの放送方式により放送されている。従来のチャンネルサーチの方法では、デジタル信号のＳＴＤ，ＨＲＣ，ＩＲＣ方式を受信機が自動的に判定する際には、ＳＴＤ，ＨＲＣ，ＩＲＣそれぞれの周波数で選局して、復調部の同調の状態を確認し、信号の存在を確認していた。
【０００４】
また、ＡｉｒとＣａｂｌｅのサーチについても、従来は、ＡｉｒとＣａｂｌｅのそれぞれのチャンネルについて選局して、復調部の同調状態を確認しながら、信号の存在を確認していた。また、チューナに設定する周波数は、選局するチャンネルの中心周波数で選局していた。
【発明の開示】
【発明が解決しようとする課題】
【０００５】
チャンネルサーチを実行する際に、デジタル信号が存在するかどうかを判定する方法としては、復調部が同調するかどうかで判定するのが一般的である。その場合、復調部が同調を検出するまでに時間がかかるという課題がある。復調部の同調の検出には、数百ｍｓ程度の時間がかかる。例えば、アメリカ合衆国のケーブルのチャンネルをサーチする場合、チャンネル数は１３５ｃｈ存在する。また、ケーブル放送には、ＳＴＤ，ＨＲＣ，ＩＲＣの３つの放送方式が有り、各チャンネルについて、各放送方式をサーチすると、チャンネルサーチに時間がかかるという課題があった。
【０００６】
また、ケーブル放送は、変調方式として、６４ＱＡＭ、２５６ＱＡＭの２つの方式が混在するので、復調部で同調を確認する方法においては、６４ＱＡＭ、２５６ＱＡＭの２つのモードの同調を確認する必要があるので、同調の判定にさらに時間がかかるという課題があった。
【０００７】
また、デジタル信号放送を受信する場合、アンテナにより直接Ａｉｒの信号を受信する場合と、ケーブル（Ｃａｂｌｅ）により送信された信号を受信する場合がある。両方が受信可能な環境においては、ＡｉｒとＣａｂｌｅのそれぞれの全てのチャンネルについて同調の確認を実施する必要があるので、チャンネルサーチにより時間がかかるという課題があった。
【０００８】
本発明の主たる目的は、デジタル放送のチャンネルサーチで、一つのチャンネルをサーチする際に、ＣＡＴＶ放送方式（ＳＴＤ，ＩＲＣ，ＨＲＣ）の異なる方式について、一回の選局で、それぞれの方式の信号無しを復調部の同調を確認すること無く判定することができ、また、ＴＶ（Ａｉｒ）放送波とＣＡＴＶ（Ｃａｂｌｅ）放送波を混合したＲＦスイッチを使用することにより、Ａｉｒ放送波とＣａｂｌｅ放送波の信号無しを同時に判定することのできるデジタル放送受信装置を提供することにある。
【課題を解決するための手段】
【０００９】
前記課題を解決するために、本発明は次のような構成を採用する。  
入力されたデジタル放送信号のＲＦ信号より所望の周波数の信号を選択し増幅してＩＦ信号に変換して出力するチューナと、
前記ＩＦ信号のレベルが一定となるように前記チューナ内のアンプのゲインを制御するＡＧＣ制御部と、
前記ＡＧＣ制御部のゲインの制御量又は前記ＩＦ信号のレベルにより、選択したチャンネルのＲＦ信号の有無を判定する信号有無判定部と、
前記ＩＦ信号をもとに前記デジタル放送信号を復調する復調部と、
前記チューナと前記復調部を制御するＣＰＵと、
前記信号有無判定部によってＲＦ信号無しと判定した場合には、前記チューナに設定した周波数を含んだ複数放送システムのそれぞれのチャンネルのＲＦ信号についてそれぞれ信号無しと判断するプログラム、を格納した記録媒体と、を備えるデジタル放送受信装置。
【００１０】
また、前記プログラムは、さらに、前記複数放送システムのいずれか１つの放送システムのチャンネルのＲＦ信号が前記信号有無判定部により信号有りと判定された場合に、他の放送システムのチャンネルサーチをスキップするプログラムであること。また、前記プログラムは、さらに、一つのチャンネルをサーチする際に、前記チューナに設定する周波数として、ＳＴＤ放送、ＨＲＣ放送、ＩＲＣ放送の放送システムの各チャンネルの帯域の重複した帯域内の周波数を設定し、前記信号有無判定部を使用して、ＳＴＤ放送、ＨＲＣ放送、ＩＲＣ放送の各チャンネルの信号無しの判定を同時に実施するプログラムであること。
【００１１】
また、前記デジタル放送受信装置において、ＴＶ放送信号とＣＡＴＶ放送信号の２つのデジタル放送信号のＲＦ信号を入力し、前記２つのＲＦ信号の一つを選択して前記チューナへ出力するＲＦスイッチと、を備え、前記プログラムは、チャンネルサーチの実行時、一つのチャンネルをサーチする際、前記信号有無判定部を使用して、前記ＴＶ放送信号と前記ＣＡＴＶ放送信号の信号無しの判定を、前記ＲＦスイッチを切り換えることによって、それぞれ実施するプログラムであること。
【００１２】
また、デジタル放送受信装置において、ＴＶ放送信号とＣＡＴＶ放送信号の２つのデジタル放送信号のＲＦ信号を入力し、前記２つのＲＦ信号入力を混合し１つのＲＦ信号として前記チューナへ出力するＲＦスイッチと、を備え、前記プログラムは、チャンネルサーチの実行時、一つのチャンネルをサーチする際、前記信号有無判定部を使用して、前記ＴＶ放送信号と前記ＣＡＴＶ放送信号の信号無しの判定を、前記ＲＦスイッチを前記２つのＲＦ信号入力を混合するモードに切り換えることによって、同時に実施するプログラムであること。前記プログラムは、チャンネルサーチの実行時、一つのチャンネルをサーチする際、前記信号有無判定部を使用して、前記ＴＶ放送信号で信号無しと判定した場合に、前記ＣＡＴＶ放送信号のＳＴＤ放送、ＨＲＣ放送、ＩＲＣ放送についても信号無しと判定するプログラムであること。
【発明の効果】
【００１３】
本発明によると、Ｃａｂｌｅの或るチャンネルのチャンネルサーチで、ＳＴＤ，ＨＲＣ，ＩＲＣの各放送方式の信号の存在が無いことを確認する際に、各方式に対してそれぞれ選局する必要が無く、一回の選局にて信号無しと判定することが出来る。また、信号無しの判定は、復調部により同調を確認することなく、信号レベルにより判定するので、信号無しの判定が早く出来る。一つのチャンネルの信号無しを早く判定することが出来るので、全体のチャンネルサーチを高速に実行することが出来る。
【００１４】
また、ＡｉｒとＣａｂｌｅのチャンネルについて、一度に信号無しと判定することが出来る。Ａｉｒで信号無しと判定した際に同時にＣａｂｌｅについても信号無しと判定出来、ＡｉｒとＣａｂｌｅの全チャンネルをサーチする必要が無くなるので、高速にチャンネルサーチを実行することが出来る。
【００１５】
また、ＣａｂｌｅのＳＴＤ，ＨＲＣ，ＩＲＣの放送方式の一つのチャンネルと、Ａｉｒの一つのチャンネルの信号無しを同時に判定することができるので、よりさらにチャンネルサーチを高速に実行することが出来る。
【発明を実施するための最良の形態】
【００１６】
本発明の実施形態に係るデジタル放送受信装置について、図１〜図７を参照しながら以下詳細に説明する。
【００１７】
「第１の実施形態」
本発明の第１の実施形態に係るデジタル放送受信装置について、図１と図３を参照しながら以下説明する。図１は本発明の第１の実施形態に係るデジタル放送受信装置のチャンネルサーチに関する構成を示す図である。図３は第１の実施形態に係るデジタル放送受信装置のチャンネルサーチにおけるフローチャートである。
【００１８】
図１において、アンテナ１で受信した放送波のＲＦ信号は、チューナ２に入力される。チューナ２では受信したＲＦ信号より、ＣＰＵ６で設定された希望の受信周波数帯を選局し、中間周波信号（ＩＦ信号）として出力する。チューナ２では、内蔵のアンプにより信号を増幅して出力する。アンプは、ＡＧＣ制御部４により、ＩＦ信号の出力レベルが一定レベルになるように制御される。信号有無判定部５では、ＡＧＣ制御部のゲイン量、又はＩＦ信号の出力レベルにより、信号のレベルが一定レベル以下であるかを判定し、結果を信号として出力する。例えば、レベルが一定レベル以下であった場合には、「Ｌ」レベル、一定レベル以上であった場合は、「Ｈ」レベルを出力する。チューナ２のＩＦ信号出力は復調部３にも入力され、復調部３では、デジタル信号の復調処理を行う。
【００１９】
アメリカ合衆国におけるＣＡＴＶ放送には、ＳＴＤ放送、ＨＲＣ放送、ＩＲＣ放送の３つの放送システムがある。各放送方式のチャンネル周波数は、放送システム毎に異なり、放送はいずれかの放送システムにより放送されている。受信機が放送システムを自動的に判定する場合は、それぞれの放送方式のチャンネルを実際に選局して同調出来るかどうかで放送方式を判定する。
【００２０】
各放送システムの各チャンネルの中心周波数について、図７に示す各放送方式におけるチャンネル・周波数表に示す。図７はＣＡＴＶ放送の３つの放送システムのそれぞれにおけるチャンネルと中心周波数との関係を示す図である。図７のＣａｂｌｅ（ＳＴＤ，ＩＲＣ、ＨＲＣ）の表に示すように、１，５，６ｃｈでは中心周波数がそれぞれ異なり、それ以外のチャンネルでは、ＳＴＤとＩＲＣでは中心周波数は同一、ＨＲＣでは中心周波数が異なる。図７では全チャンネルを示していないが、省略したチャンネルでも、ＳＴＤとＩＲＣでは同一、ＨＲＣは、ＳＴＤ及びＩＲＣの周波数より、１．２５ＭＨｚを減算した値となっている。
【００２１】
チャンネルサーチを実行する場合は、チャンネルは全部で１３５ｃｈ存在するので、１３５ｃｈのチャンネルをそれぞれ実際に選局していく。また、放送方式は３つのシステムの内どれか１つのシステムにて送信されているので、最初は、３つの方式それぞれについて、信号のあり無しを判別し、同調した場合には、その時点でその放送方式で放送されていることが判明し、以後は、その方式でのチャンネルのみサーチするようにする。例えば、周波数が８１ＭＨｚで同調した場合には、放送方式はＩＲＣと判定出来る（図７を参照）。
【００２２】
本発明の第１の実施形態に係るデジタル放送受信装置のチャンネルサーチの方法を図３のチャンネルサーチフローチャート１にしたがって説明する。図３は本発明の第１の実施形態に係るデジタル放送受信装置のチャンネルサーチにおけるフローチャートである。ここで、図３に示すチャンネルサーチのフローは、ＲＯＭ（記録媒体）７に格納されたプログラムを読み出してＣＰＵ６が実行させる手順であり、図３のフローの外に、後述する図４と図５のフローも同様である。
【００２３】
先ず、放送方式（ＳＴＤ，ＩＲＣ，ＨＲＣ）は不明な状態であるので、放送方式を記憶しておくモードの変数をＵＮＫＮＯＷＮとして記憶する（Ｓ３０１）。次に、チャンネル番号は１に設定する（Ｓ３０２）。モードは最初はＵＮＫＯＷＮであるので（Ｓ３０３）、チューナに周波数を設定する処理に進み、チャンネル番号に対応した周波数を、チューナに対して設定する（図７の表をもとに選局周波数をチューナに設定する）（Ｓ３０４）。
【００２４】
チャンネル番号が１，５，６ｃｈの場合は、ＳＴＤ，ＩＲＣ，ＨＲＣでそれぞれ中心周波数が異なるので、このチャンネルを他のチャンネルより先に実行することにより、信号が存在した場合は、早く放送方式を判定することが可能である。尚、ＳＴＤとＩＲＣとの判別については、１，５，６ｃｈでしか判別出来無い。第１の実施形態では、初めに１，５，６ｃｈをサーチして、いずれも同調せず判定出来なかった場合で、２ｃｈよりサーチする場合の例を以下に示す。
【００２５】
チャンネル番号は２であるので、２チャンネルの周波数をチューナに設定する（Ｓ３０４）。ここでは、放送方式はＳＴＤを設定する。図７の表に示すようにＳＴＤの２ｃｈの周波数は、５７ＭＨｚであるので、チューナには選局周波数として、５７ＭＨｚを設定する。チューナに周波数を設定し、ＡＧＣの制御が安定する時間経過後に、信号有無判定部５を確認する（Ｓ３０５）。ＡＧＣの制御が安定するまでの時間は通常数十ｍｓ程度である。信号が存在した場合は、信号有無判定部５の信号は「Ｈ」を出力する。信号有無判定部５では、ＡＧＣ制御部４のアンプの利得制御の大きさ（ゲイン）とＩＦ信号のレベルにより信号の有無を判定する。信号が受信出来るレベルの信号において、アンプが最大ゲインとはならないレベルのゲインで受信可能なように設計されている場合には、ゲインを、受信機が受信可能な最小入力レベルの際のゲインと比較して、それより大きい場合には信号無しと判定する。
【００２６】
デジタル放送においては、信号が一定のＣ／Ｎ比以上でないと受信出来ないので、Ｃ／Ｎ比が確保出来ない信号強度のレベルであった場合には、デジタル信号を受信出来ないレベルにあると判定出来る。この場合には、ＡＧＣのゲインの大きさによる判定のみで、ＩＦ信号のレベルは使用しなくて良い。また、最大ゲインにおいても受信可能な場合があるように設計されている場合は、ＩＦの信号のレベルも確認するようにし、最大ゲインで、ＩＦ信号が受信可能なレベル以下である場合には、信号無しと判定するようにする。
【００２７】
信号有無判定部５が、信号ありと判定し、「Ｈ」を出力した場合には、復調部３の同調に要する時間を待ち（Ｓ３０６）、復調部３の同調状態を確認する（Ｓ３０７）。同調の確認方法は、ＣＰＵ６が復調部３の同調ステータスレジスタを読みだして確認方法でも良いし、復調部３に同調状態を知らせる出力信号を用意し、信号のレベルが「Ｈ」の時には同調状態、「Ｌ」の時には非同期状態として、出力信号の状態による確認方法でも良い。
【００２８】
同調していた場合（Ｓ３０８）には、放送システムはＳＴＤであると判定し（Ｓ３１５）、同調したチャンネルを記憶する（Ｓ３１６）。同調したチャンネルはリストに記憶しておくことにより、チャンネルサーチ終了後は、リモコンによるチャンネルのアップ、ダウンの操作に対しては、信号の存在したチャンネルのみを選局するようにし、信号無しのチャンネルはスキップするように出来る。また、ユーザに受信可能なチャンネルを表示する場合についても、受信可能なチャンネルのみ表示出来る。
【００２９】
チャンネルを記憶した後は、チャンネルのチャンネル番号をインクリメントする処理に移る（Ｓ３１７）。復調部３が同調しなかった場合は（Ｓ３０８）、チューナにＨＲＣの周波数を設定する（ＨＲＣの中心周波数はＳＴＤのそれと異なる（図７参照））（Ｓ３０９）。ここでは、チャンネル番号は２ｃｈであるので、図７の表に示す通りＨＲＣの２ｃｈの周波数は５５．７５ＭＨｚである。チューナに５５．７５ＭＨｚを設定した後は、ＡＧＣの制御の安定と、同調にかかる時間を待ち（Ｓ３１０）、同調を確認し（Ｓ３１１）、同調していた場合は（Ｓ３１２）、放送システムはＨＲＣであると判定し（Ｓ３１３）、同調したチャンネルを記憶し（Ｓ３１４）、チャンネル番号をインクリメントする（Ｓ３１７）。モード変数をＨＲＣに設定することにより、以後のチャンネルサーチは、ＨＲＣの放送システムのチャンネルのみをサーチするようにする。復調部が同調しなかった場合は（Ｓ３１２）、モードはＵＮＫＮＯＷＮのままで、チャンネル番号をインクリメントする（Ｓ３１７）。
【００３０】
ＳＴＤの周波数を設定した際に、信号有無判定部５がＬであった場合であるが（Ｓ３０５）、その場合は、ＳＴＤも、ＨＲＣの信号も無しと判定し、復調部の同調を確認する必要が無く、チャンネル番号をインクリメントする処理に移る（Ｓ３１７）。
【００３１】
信号有無判定部５の判定について説明すると、チューナのＩＦ信号出力は、ＡＧＣ回路により、信号が一定レベルになるようにゲインを調整されるが、チューナに入力されるＲＦ信号のレベルが小さい場合は、チューナのゲインを大きくする。通常受信可能なレベルより小さいレベルの場合は、必要以上にゲインをあげている場合であるので、ゲインの量により信号が存在するかどうか検出できる。また、チューナのＩＦ信号は、通常ＳＡＷフィルタにより、信号帯域である６ＭＨｚより若干広い範囲でフィルタリングされている。ＳＴＤとＨＲＣの信号が無い場合には、例えば図６の放送波の例示における、図６の（１）の「Ｃａｂｌｅ」に示した７２ｃｈのように６ＭＨｚ帯域の信号パワーは低くなるので、チューナのフィルタを通過した信号のレベルを確認すれば、信号無しを判定出来る。
【００３２】
ＳＴＤ方式とＨＲＣ方式では、周波数が１．２５ＭＨｚのずれがあるが、６ＭＨｚの信号帯域での信号レベルは、信号が無い場合には小さいので、ずれがあっても判定可能である。また、チューナに設定する周波数について、ＳＴＤの中心周波数を設定する例を示したが、設定する周波数は、ＳＴＤの中心周波数とＨＲＣの中心周波数の間の周波数に設定しても良い。例えば、チャンネルが７２ｃｈであれば、５１１．７５ＭＨｚと５１３ＭＨｚの中間の周波数である、５１２．３７５ＭＨｚの周波数をチューナに設定しても良い。この場合には、図３のフローチャートのＳ３０４では、中間の周波数である５１２．３７５ＭＨｚを設定し、信号があると判定した場合には（Ｓ３０５）、チューナにＳＴＤの中心周波数に再設定して復調部の同調を確認するようにする。
【００３３】
また、ＳＴＤの中心周波数で信号レベルの判定を行った後、ＨＲＣの中心周波数にチューナの周波数を設定し直して信号レベルの判定を行うようにしても良い。前述した方法では、ＳＴＤの周波数のみ設定し、信号有無判定部５で信号の有無を判定するようにする例を示したが、Ｓ３０５で信号有りと判定した場合に、ＨＲＣの周波数を設定して、再度信号有無の判定を行う処理を追加する方法もある。この方法は、隣接チャンネルの信号の影響を少なくすることが出来る。
【００３４】
図６の（１）におけるＣａｂｌｅに示すように、周波数をＳＴＤ信号の中心周波数に設定していた場合には、入力信号がＳＴＤであれば、中心周波数の６ＭＨｚの帯域では信号は全く無くなるが、信号がＨＲＣだった場合には、帯域の右側にＨＲＣの隣接チャンネルが存在することになる。放送信号がＨＲＣであった場合には、中心周波数をＨＲＣに再設定することにより、この影響をなくすことが出来る。このように、ＳＴＤで信号無しを判定出来なかった場合に、ＨＲＣの周波数に設定し直すことにより、信号無しを判定出来る場合もある。ＡＧＣの安定の時間は通常５０ｍｓ程度であり、同調時間は数百ｍｓ程度であるので、中心周波数をずらして、信号レベルを判定する時間は同調を確認するよりも小さいので、この処理を行うことによるオーバーヘッドは、同調を確認する方法よりも少ない。
【００３５】
図３で、チャンネル番号をインクリメントした後は（Ｓ３１７）、チャンネル番号を確認し、チャンネル番号がＣａｂｌｅ放送のチャンネルの最大数である１３５ｃｈを超えるようになったかどうかを確認し（Ｓ３１８）、１３５を超える場合はサーチを終了する。１３５以下の場合は（Ｓ３１８）、モードが判定しているかを確認する処理へ移行し（Ｓ３０３）、判定していない場合は、前述した処理を再度実施する。モードが判定している場合は（Ｓ３０３）、チューナ２には判定したモードのチャンネル番号に対応した周波数を設定し（Ｓ３１９）、信号の有無を判定する（Ｓ３２０）。信号ありと判定した場合、復調部３の同調時間を待ち（Ｓ３２１）、同調の確認を行う（Ｓ３２２）。同調していた場合は（Ｓ３２３）、同調したチャンネルを記憶（Ｓ３２４）して次のチャンネルサーチに進む（Ｓ３１７）。同調しなかった場合は（Ｓ３２３）、そのまま次のチャンネルサーチに進む（Ｓ３１７）。チューナに周波数を設定した際に（Ｓ３１９）、信号有無判定部５により、信号が無しと判定した場合は（Ｓ３２０）、復調部の同調を確認することなく、次のチャンネルのサーチに進むことが出来る（Ｓ３１７）。
【００３６】
以上の説明では、１，５，６ｃｈ以外のチャンネルの例を示したが、１ｃｈについては、ＳＴＤの信号は存在しないので、ＳＴＤで周波数を設定する処理（Ｓ３０４）と、モードを設定する処理（Ｓ３１５）を、ＩＲＣで設定するようにすれば良い。５，６ｃｈについては、Ｓ３１２の同調の確認で、同調しなかった場合には、ＩＲＣについても、チューナに周波数を設定し、同調の確認を実行し、同調していたらモードをＩＲＣに設定するように、ＨＲＣの場合と同様の処理を行う。
【００３７】
本発明の第１の実施形態では、以上説明したように、信号無しの判定をＳＴＤ，ＩＲＣ，ＨＲＣ方式で同時に判定出来るので、信号無しの場合は、各方式について復調部の同調を確認しないので、サーチを早く実行することが出来る。ＳＴＤ，ＩＲＣ，ＨＲＣを判定した後については、判定したモードのみ選局するが、復調部の同調を確認すること無く、ＡＧＣ制御が安定する時間で、信号のレベルにより信号無しを判定するので、チャンネルサーチを高速に実行出来る。
【００３８】
「第２の実施形態」
本発明の第２の実施形態に係るデジタル放送受信装置について、図２と図４を参照しながら以下説明する。図２は本発明の第２の実施形態に係るデジタル放送受信装置のチャンネルサーチに関する構成を示す図である。図４は第２の実施形態に係るデジタル放送受信装置のチャンネルサーチにおけるフローチャートである。
【００３９】
本発明の第２の実施形態は、Ａｉｒ（ＴＶ放送信号）とＣａｂｌｅ（ＣＡＴＶ放送信号）のチャンネルにおける信号有りと無しを高速に判定する判定方法を示すが、この判定方法について、図２と、図４のフローチャート２に従いながら説明する。ＡｉｒとＣａｂｌｅのチャンネルと周波数との関係であるが、図７の各方式のチャンネルと周波数に示すように、Ａｉｒの２〜１３ｃｈについては、ＣａｂｌｅのＳＴＤの周波数と同一である。Ａｉｒの１４ｃｈ〜６９ｃｈについては、チャンネル番号は異なるものの、Ｃａｂｌｅの６５ｃｈ以降に、周波数が２ＭＨｚずれたチャンネルが存在する。例えば、Ａｉｒの１４ｃｈは、４７３ＭＨｚであるが、Ｃａｂｌｅの６５ｃｈは、４７１ＭＨｚであり、２ＭＨｚ小さい周波数となっている。
【００４０】
第２の実施形態では、Ａｉｒの２ｃｈから６９ｃｈのサーチを実施する場合について述べる。Ｃａｂｌｅの１，１４〜６４，９５〜９９，１２６〜１３５チャンネルについては、Ａｉｒのチャンネルと類似する周波数が無いので、Ｃａｂｌｅ単独でサーチを実施する。
【００４１】
先ず、図４のフローチャート２に示すように、ＲＦスイッチ９をＡｉｒ側に設定し（Ｓ４０１）、チューナ２にＡｉｒの周波数を設定する（図７に示すＡｉｒの周波数参照）（Ｓ４０２）。図２の構成ブロック図に示すように、ＣＰＵ６より、ＲＦスイッチ９をＡｉｒ側にすると、ＲＦスイッチ９ではＡｉｒの信号を選択して、チューナ２へ出力する。図４のフローチャート２に示すように、信号有無判定部５により、判定信号が「Ｈ」で信号ありと判定した場合は（Ｓ４０３）、信号の存在する可能性があるので、同調時間を待ち（Ｓ４０４）、同調の確認を行う（Ｓ４０５）。同調していた場合は（Ｓ４０６）、同調したチャンネルを記憶して（Ｓ４０７）、ＲＦスイッチ９をＣａｂｌｅに設定する処理（Ｓ４０８）へ移行する。同調しなかった場合は（Ｓ４０６）、そのままＲＦスイッチ９をＣａｂｌｅに設定する処理（Ｓ４０８）へ移行する。チューナ２にＡｉｒの周波数を設定した際に（Ｓ４０２）、信号有無判定部５が「Ｌ」で信号無しと判定された場合は（Ｓ４０３）、同調を確認すること無く、ＲＦスイッチをＣａｂｌｅ側に設定（Ｓ４０８）する処理に移行する。
【００４２】
図２に示すように、ＲＦスイッチ９をＣａｂｌｅ側に設定すると、Ｃａｂｌｅの信号を選択し、チューナ２にＣａｂｌｅの信号を出力する。次に、図４のフローチャート２に示すように、ＲＦスイッチ９をＣａｂｌｅ側に設定した（Ｓ４０８）後は、ＡＧＣが安定する時間を待った後、信号有無判定部５の状態を確認し（Ｓ４０９）、判定が「Ｈ」であった場合は、信号が存在する可能性があるので、チューナ２にＣａｂｌｅの選局周波数を設定する（Ｓ４１０）。尚、チャンネルが２〜１３の場合は、ＡｉｒとＣａｂｌｅの中心周波数が同一なので、ここの処理を省略出来る。次に同調時間を待ち（Ｓ４１１）、同調の確認を行う（Ｓ４１２）。同調していた場合は（Ｓ４１３）、同調したチャンネルを記憶し（Ｓ４１４）、チャンネル番号をインクリメントする処理に移る（Ｓ４１５）。同調しなかった場合は（Ｓ４１３）、そのまま、チャンネル番号をインクリメントする処理に移る（Ｓ４１５）。ＲＦスイッチ９をＣａｂｌｅ側に設定した際に（Ｓ４０８）、信号有無判定部５の判定信号が「Ｌ」であった場合には（Ｓ４０９）、信号が無いと判定した場合であるので、復調部３の同調を確認することなく信号無しと判定出来る。
【００４３】
ＡｉｒとＣａｂｌｅの中心周波数が同一のチャンネル（Ａｉｒの２〜１３ｃｈ）では全く問題無いが、異なるチャンネル（Ａｉｒの１４〜６９ｃｈ）では、２ＭＨｚの差が存在する。２ＭＨｚずれているので、Ｃａｂｌｅの信号の隣接チャンネルが存在した場合には、Ａｉｒ側で選局した周波数の６ＭＨｚの帯域にＣａｂｌｅ側の隣接の２ＭＨｚの信号が入り込んでくる。しかし、Ａｉｒ側の６ＭＨｚの帯域においては、信号レベルは、信号が存在する場合より可成り小さくなるので、信号無しを判定することは可能である。誤判定を回避するために、Ｓ４０８のＲＦスイッチ９をＣａｂｌｅに設定した後に、チューナ２にＣａｂｌｅの周波数を設定する処理を追加するようにしても良い。尚、この処理を実行した場合は、Ｓ４１０の処理は必要なくなる。
【００４４】
以後は、チャンネル番号をインクリメントし（Ｓ４１５）、チャンネル番号が、Ａｉｒのチャンネルの最大数である６９ｃｈを越えたかどうかを判定し（Ｓ４１６）、越えている場合は、サーチを終了し、越えていない場合には（Ｓ４１６）、ＲＦスイッチをＡｉｒ側に設定する処理に移行し（Ｓ４０１）、周波数には次のチャンネル番号の周波数を設定して（Ｓ４０２）、同様の処理を続ける。
【００４５】
「第３の実施形態」
本発明の第３の実施形態に係るデジタル放送受信装置について、図５と図６を参照しながら以下説明する。図５は本発明の第２の実施形態に係るデジタル放送受信装置のチャンネルサーチにおけるフローチャートである。
【００４６】
第３の実施形態では、前述した第２の実施形態で、ＲＦスイッチ９に、ＡｉｒとＣａｌｂｅの信号を混合する機能をも備えさせ、ＲＦスイッチ９を混合するモードに設定して信号の有無を判定することにより、ＲＦスイッチ９を切り替えることなく、ＡｉｒとＣａｂｌｅのチャンネルの信号無しを同時に判定することが出来る。
【００４７】
ＡｉｒとＣａｂｌｅを混合した場合の信号の状態の例を、図６の（２）（Ａｉｒ＋Ｃａｂｌｅ）に示す。図示した例では、Ａｉｒが２１ｃｈ（５１５ＭＨｚ）で、Ｃａｂｌｅが７２ｃｈ（５１３ＭＨｚ）の信号波形の例を示す。図６の（２）に示すように、ＡｉｒおｔＣａｂｌｅ共に信号が無い場合には、６ＭＨｚの帯域においては信号が存在する場合に比較して、信号レベルが可成り小さくなるので、信号無しを判定することが出来る。
【００４８】
本実施形態の処理の例を図５のチャンネルサーチフローチャート３に示す。先ず、チャンネル番号に２に設定する（Ｓ５００）。Ａｉｒのチャンネルは、２ｃｈ〜６９ｃｈであるので、初めに２を設定する。次に、ＲＦスイッチ９をＡｉｒとＣａｂｌｅを混合してチューナ２に出力するモードに設定する（Ｓ５０１）。次にチューナ２にＡｉｒの周波数を設定する。この場合、チャンネル番号は２であるので、５７ＭＨｚを設定する（図７における左側のＡｉｒの２ｃｈの周波数を参照）（Ｓ５０２）。
【００４９】
２ｃｈの場合には、Ｃａｂｌｅの２ｃｈも同じ周波数である。ＡｉｒもＣａｂｌｅも２ｃｈに信号が無いと判定した場合は、信号有無判定部５は、「Ｌ」を出力し、信号が存在すると判定した場合は、「Ｈ」を出力する（Ｓ５０３）。信号が存在し、「Ｈ」の場合は、ＲＦスイッチ９をＡｉｒモードに設定する（Ｓ５０４）。この設定により、Ａｉｒの信号のみが選択される。同調にかかる時間経過後（Ｓ５０５）、復調部３の同調状態を確認する（Ｓ５０６）。同調していた場合には（Ｓ５０７）、同調したチャンネルを記憶し（Ｓ５０８）、同調しなかった場合は（Ｓ５０７）、何もせずにＲＦスイッチ９をＣａｂｌｅモードに設定する（Ｓ５０９）。この設定により、ＲＦスイッチは、Ｃａｂｌｅの信号を選択して、チューナに出力する。
【００５０】
次に、チューナ２にＣａｂｌｅの選局周波数を設定する（Ｓ５１０）。この処理はＡｉｒとＣａｂｌｅの周波数が同一であれば、省略出来る。次に、同調にかかる時間経過後（Ｓ５１１）、復調部３の同調状態を確認する（Ｓ５１２）。同調していれば（Ｓ５１３）、同調したチャンネルを記憶し（Ｓ５１４）、同調していない場合は、何もしないで次の、チャンネル番号をインクリメントする処理（Ｓ５１５）を実行する。
【００５１】
Ｓ５０３で、信号有無判定部５の出力が「Ｌ」で、信号が無しと判定された場合は、ＡｉｒもＣａｂｌｅも信号無しと判定し、同調の確認をする処理は省略し、チャンネル番号をインクリメントする処理に移行する（Ｓ５１５）。尚、Ｓ５０２でチューナに設定する周波数は、ＡｉｒとＣａｂｌｅのそれぞれの中心周波数の間の周波数としても良い。例えば、Ａｉｒの２１ｃｈ（５１５ＭＨｚ）と、Ｃａｂｌｅの７２ｃｈ（５１３ＭＨｚ）であれば、５１４ＭＨｚを設定するようにしても良い。この場合には、Ｓ５０３で信号があると判定された場合には、Ａｉｒの中心周波数に設定し直す処理を追加する。
【００５２】
「第４の実施形態」
本発明の第４の実施形態は、前述の実施形態３で、Ｃａｂｌｅの信号無しの確認は、ＳＴＤ，ＩＲＣ，ＨＲＣを同時に判定するようにしても良い。例えば、実施形態３において、Ａｉｒの２１ｃｈにおいて信号無しと判定した場合には、Ｃａｂｌｅの７２ｃｈのＳＴＤ，ＩＲＣ，ＨＲＣについても信号無しと判定するようにする。
【００５３】
以上説明したように、本発明の実施形態に係るデジタル放送受信装置におけるチャンネルサーチは、次のような機能を果たすことを主たる特徴とするものである。すなわち、デジタル放送のチャンネルサーチで、一つのチャンネルをサーチする際に、放送方式（ＳＴＤ，ＩＲＣ，ＨＲＣ）の異なる方式について、一回の選局で、それぞれの方式の信号無しを判定する。これによって、信号無しの判定の場合、各放送方式に対する選局が必要無く、また復調後の同調を確認すること無く判定するので、サーチの高速化を図ることができる。具体的に云えば、信号無しの判定は、復調部の同調を確認すること無く、ＡＧＣ制御部あるいはＩＦ信号（チューナ出力）のレベルにより判定する判定手段を有し、判定時間を短縮出来る。また、チューナの周波数設定を、方式（ＳＴＤ，ＩＲＣ，ＨＲＣ）の異なるチャンネル間の周波数に設定することにより、一度に各方式の信号無しを判定する手段を具備するものである。また、Ａｉｒ放送波とＣａｂｌｅ放送波を混合したＲＦスイッチを使用することにより、Ａｉｒ放送波とＣａｂｌｅ放送波の信号無しを同時に判定する手段を具備するものである。
【図面の簡単な説明】
【００５４】
【図１】本発明の第１の実施形態に係るデジタル放送受信装置のチャンネルサーチに関する構成を示す図である。
【図２】本発明の第２の実施形態に係るデジタル放送受信装置のチャンネルサーチに関する構成を示す図である。
【図３】第１の実施形態に係るデジタル放送受信装置のチャンネルサーチにおけるフローチャートである。
【図４】第２の実施形態に係るデジタル放送受信装置のチャンネルサーチにおけるフローチャートである。
【図５】第３の実施形態に係るデジタル放送受信装置のチャンネルサーチにおけるフローチャートである。
【図６】ＣＡＴＶ放送の３つの放送システム並びにＡｉｒ放送システムのそれぞれにおけるチャンネルの波形例を示す図である。
【図７】ＣＡＴＶ放送の３つの放送システム並びにＡｉｒ放送システムのそれぞれにおけるチャンネルと中心周波数との関係を示す図である。
【符号の説明】
【００５５】
１  アンテナ
２  チューナ
３  復調部
４  ＡＧＣ制御部
５  信号有無判定部
６  ＣＰＵ
７  ＲＯＭ
８  システムバス
９  ＲＦスイッチ
【図１】
2007259070.tif 000003
【図２】
2007259070.tif 000004
【図３】
2007259070.tif 000005
【図４】
2007259070.tif 000006
【図５】
2007259070.tif 000007
【図６】
2007259070.tif 000008
【図７】
2007259070.tif 000009